(57)【特許請求の範囲】
【請求項１】
基板に搭載されるコネクタであって、
複数のコンタクトと、前記コンタクトを保持するハウジングと、前記ハウジングに取り付けられた被モニタ部材とを備えており、
前記被モニタ部材は、前記コンタクトとは別体であり、且つ、上下方向に沿って前記コネクタが前記基板に搭載される際に前記基板に突き当てられる突き当て部と、マーカー部とを有しており、
前記突き当て部と前記マーカー部とは、前記上下方向において互いに所定距離だけ離れており、
前記マーカー部は、前記上下方向と直交する水平方向に沿って前記コネクタを見た場合に、視認可能であり、
前記被モニタ部材は、主部と、前記上下方向において前記主部から下向きに突出した突出部とを有しており、
前記突き当て部は、前記突出部の下端に位置しており、
前記マーカー部は、前記突出部の一部として設けられている
コネクタ。
【請求項２】
請求項１記載のコネクタであって、
前記被モニタ部材は、前記ハウジングよりも熱膨張率の低い材料からなる
コネクタ。
【請求項３】
請求項２記載のコネクタであって、
前記熱膨張率の低い材料は、金属である
コネクタ。
【請求項４】
請求項１乃至請求項３のいずれかに記載のコネクタであって、
前記主部が前記ハウジングの側面上に位置するように、前記被モニタ部材は前記ハウジングに保持されている
コネクタ。
【請求項５】
請求項１乃至請求項４のいずれかに記載のコネクタであって、
前記主部は、前記上下方向と直交する面内において、前記ハウジングに保持された前記コンタクトの接点部の外側に位置している
コネクタ。
【請求項６】
請求項５記載のコネクタであって、
前記ハウジングに保持された前記コンタクトの接点部は、前記主部又は前記主部と他の部材とにより前記上下方向と直交する面内において囲まれている
コネクタ。
【請求項７】
請求項１乃至請求項６のいずれかの記載のコネクタであって、
前記突出部は複数設けられており、
前記突き当て部と前記マーカー部も複数セット設けられている
コネクタ。
【請求項８】
請求項１乃至請求項７のいずれかに記載のコネクタであって、
前記コンタクトのうちの特定の一つと前記突き当て部とは、前記水平方向に沿って前記コネクタを見た場合に、重なるように配置されている
コネクタ。
【請求項９】
請求項８記載のコネクタであって、
前記水平方向に沿って前記コネクタを見た場合に、前記特定のコンタクトは、前記突き当て部よりも奥側に位置しており且つ前記突き当て部よりも幅広であるように構成されている
コネクタ。
【請求項１０】
請求項８又は請求項９記載のコネクタであって、
前記基板にはグランドパターンが形成されており、
前記特定のコンタクトと前記突き当て部とは同一の前記グランドパターンに接続される
コネクタ。
【発明の詳細な説明】
【技術分野】
【０００１】
本発明は、基板に搭載されるコネクタに関し、特に基板対基板コネクタ組立体に用いられるコネクタに関する。
【背景技術】
【０００２】
基板対基板コネクタ組立体としては、例えば、特許文献１や特許文献２に開示されたものがある。いずれのコネクタ組立体も基板に搭載固定されたプラグ及びレセプタクルを備えている。プラグとレセプタクルとは、それらが搭載されている基板が平行になるように接続される。
【先行技術文献】
【特許文献】
【０００３】
【特許文献１】特開平９−２３７６５５号公報
【特許文献２】特許第３１９５２９３号公報
【発明の概要】
【発明が解決しようとする課題】
【０００４】
近年、ノートパソコンや携帯電話等の携帯電子機器の小型化・薄型化が進んでいる。これに伴い、携帯電子機器の内部に搭載される基板対基板コネクタには基板間距離に対する厳しい要求（例えば、要求される基板間距離が２〜３ミリ程度）を満たすことが求められている。この要求を満たすためには、基板に搭載されたコネクタのハウジングの高さが許容される範囲内に収まっているか否かの確認も重要になっている。
【０００５】
かかる要求は、基板対基板コネクタ組立体に含まれるコネクタのみならず、例えば、基板に搭載された状態で薄型の携帯電子機器内に組み込まれるようなコネクタにも求められるものである。
【０００６】
そこで、本発明は、コネクタが基板に搭載された状態においてハウジングと基板との位置的関係を容易に確認し得るようなコネクタを提供することを目的とする。
【課題を解決するための手段】
【０００７】
本発明は、第１のコネクタとして、
基板に搭載されるコネクタであって、
複数のコンタクトと、前記コンタクトを保持するハウジングと、前記ハウジングに取り付けられた被モニタ部材とを備えており、
前記被モニタ部材は、前記コンタクトとは別体であり、且つ、上下方向に沿って前記コネクタが前記基板に搭載される際に前記基板に突き当てられる突き当て部と、マーカー部とを有しており、
前記突き当て部と前記マーカー部とは、前記上下方向において互いに所定距離だけ離れており、
前記マーカー部は、前記上下方向と直交する水平方向に沿って前記コネクタを見た場合に、視認可能である
コネクタを提供する。
【０００８】
また、本発明は、第２のコネクタとして、第１のコネクタであって、
前記被モニタ部材は、前記ハウジングよりも熱膨張率の低い材料からなる
コネクタを提供する。
【０００９】
また、本発明は、第３のコネクタとして、第２のコネクタであって、
前記熱膨張率の低い材料は、金属である
コネクタを提供する。
【００１０】
また、本発明は、第４のコネクタとして、第１乃至第３のいずれかのコネクタであって、
前記被モニタ部材は、主部と、前記上下方向において前記主部から下向きに突出した突出部とを有しており、
前記突き当て部は、前記突出部の下端に位置しており、
前記マーカー部は、前記突出部の一部として設けられている
コネクタを提供する。
【００１１】
また、本発明は、第５のコネクタとして、第４のコネクタであって、
前記主部が前記ハウジングの側面上に位置するように、前記被モニタ部材は前記ハウジングに保持されている
コネクタを提供する。
【００１２】
また、本発明は、第６のコネクタとして、第４又は第５のコネクタであって、
前記主部は、前記上下方向と直交する面内において、前記ハウジングに保持された前記コンタクトの接点部の外側に位置している
コネクタを提供する。
【００１３】
また、本発明は、第７のコネクタとして、第６のコネクタであって、
前記ハウジングに保持された前記コンタクトの接点部は、前記主部又は前記主部と他の部材とにより前記上下方向と直交する面内において囲まれている
コネクタを提供する。
【００１４】
また、本発明は、第８のコネクタとして、第４乃至第７のいずれかのコネクタであって、
前記突出部は複数設けられており、
前記突き当て部と前記マーカー部も複数セット設けられている
コネクタを提供する。
【００１５】
また、本発明は、第９のコネクタとして、第１乃至第８のいずれかのコネクタであって、
前記コンタクトのうちの特定の一つと前記突き当て部とは、前記水平方向に沿って前記コネクタを見た場合に、重なるように配置されている
コネクタを提供する。
【００１６】
また、本発明は、第１０のコネクタとして、第９のコネクタであって、
前記水平方向に沿って前記コネクタを見た場合に、前記特定のコンタクトは、前記突き当て部よりも奥側に位置しており且つ前記突き当て部よりも幅広であるように構成されている
コネクタを提供する。
【００１７】
また、本発明は、第１１のコネクタとして、第９又は第１０のコネクタであって、
前記基板にはグランドパターンが形成されており、
前記特定のコンタクトと前記突き当て部とは同一の前記グランドパターンに接続される
コネクタを提供する。
【００１８】
また、本発明は、第１２のコネクタとして、第１乃至第１１のいずれかのコネクタであって、
前記被モニタ部材は、板状の母材を打ち抜いて形成された中間体を折り曲げ形成してなるものであり、
前記突き当て部は、前記中間体のエッジで構成されている
コネクタを提供する。
【００１９】
また、本発明は、第１３のコネクタとして、第１２のコネクタであって、
前記コネクタは、前記基板とは異なる相手側基板に搭載された相手側コネクタと嵌合するためのものである
コネクタを提供する。
【発明の効果】
【００２０】
本発明では、基板近傍にマーカー部を設けたことから、基板近傍を拡大して基板からマーカー部の位置を画像認識検査することによりハウジング高さを疑似的に測定することが可能であり、基板からレセプタクルハウジングの高さ頂点までを画像認識して測定する場合に比べて、高い測定精度を得ることができる。
【図面の簡単な説明】
【００２１】
【図１】本発明の実施の形態によるコネクタ組立体を示す斜視図である。レセプタクル（コネクタ）とプラグ（相手側コネクタ）とは未嵌合状態にある。
【図２】図１のコネクタ組立体を示す正面図である。
【図３】図２のコネクタ組立体をIII--III線に沿って示す断面図である。
【図４】図２のコネクタ組立体をIV--IV線に沿って示す断面図である。
【図５】図１のコネクタ組立体に含まれるレセプタクル（コネクタ）を示す斜視図である。
【図６】図５のレセプタクルを示す上面図である。
【図７】図５のレセプタクルを示す正面図である。
【図８】図７のレセプタクルの一点鎖線円で囲まれた部分を拡大して示す図である。基板も図示されている。
【図９】図８の変形例を示す図である。
【図１０】図５のレセプタクルに含まれるレセプタクルハウジング（ハウジング）を示す斜視図である。
【図１１】図５のレセプタクルに含まれるレセプタクルコンタクト（コンタクト）を示す斜視図である。
【図１２】図５のレセプタクルに含まれる被モニタ部材を示す斜視図である。
【図１３】図１２の被モニタ部材を示す正面図である。
【図１４】図１２の被モニタ部材を示す側面図である。
【図１５】図５のレセプタクルに含まれるロック部材を示す斜視図である。
【図１６】図１のコネクタ組立体に含まれるプラグ（相手側コネクタ）を示す斜視図である。
【図１７】図１６のプラグ（相手側コネクタ）を示す上面図である。
【図１８】図１６のプラグに含まれるプラグハウジング（相手側ハウジング）を示す斜視図である。
【図１９】図１６のプラグに含まれるプラグコンタクト（相手側コンタクト）を示す斜視図である。
【図２０】図１６のプラグに含まれるホールドダウンを示す斜視図である。
【図２１】図２０のホールドダウンを示す上面図である。
【発明を実施するための形態】
【００２２】
本発明の実施の形態によるコネクタ組立体は、基板対基板コネクタ組立体であり、図１乃至図４に示されるように、レセプタクル（コネクタ）１００とプラグ（相手側コネクタ）２００とを備えている。
【００２３】
図５乃至図７に示されるように、レセプタクル１００は、絶縁体からなるレセプタクルハウジング（ハウジング）１１０と、金属製のレセプタクルコンタクト（コンタクト）１５０と、金属製の被モニタ部材１６０と、金属製のロック部材１８０とを備えている。
【００２４】
図１０に示されるように、レセプタクルハウジング１１０は、Ｘ方向及びＹ方向の中央に位置する島状部１２２と、島状部１２２の周囲に設けられた受容部１２４と、受容部１２４を取り囲む２つの長壁部１２６及び２つの短壁部１２８とを有している。島状部１２２は、Ｙ方向に延びる直方体状の形状を有している。受容部１２４は、島状部１２２の上面と比較すると全体として−Ｚ方向に凹んだ凹部であり、ＸＹ平面内において四角枠状の形状を有している。長壁部１２６は、Ｘ方向において受容部１２４及び島状部１２２を挟むようにして設けられている。長壁部１２６は、夫々、Ｙ方向に延びている。短壁部１２８は、Ｙ方向において受容部１２４及び島状部１２２を挟むようにして設けられている。短壁部１２８は、夫々、Ｘ方向に延びており、長壁部１２６のＹ方向の端部同士を連結している。
【００２５】
図３及び図１０を参照すると、島状部１２２には、複数の収容部１３０が形成されている。各収容部１３０は、Ｘ方向内側に向かって凹んでいる。各収容部１３０は、島状部１２２の＋Ｚ側端面（上面）までは達しておらず、従って、＋Ｚ側から見た場合には視認することができない。収容部１３０は、大きく２つのグループに分けられている。１つのグループの収容部１３０は、島状部１２２の＋Ｘ側側面上においてＹ方向に並ぶように形成されている。他のグループの収容部１３０は、島状部１２２の−Ｘ側側面上においてＹ方向に並ぶように形成されている。
【００２６】
図１０を参照すると、長壁部１２６の夫々には、複数の第１保持部１３２と、２つの第２保持部１３４と、２つの第３保持部１３６とが形成されている。第１保持部１３２は、長壁部１２６のＸ方向内側に形成されている。第１保持部１３２は、夫々、収容部１３０と対応している（図３も参照）。この第１保持部１３２は、長壁部１２６をＺ方向（上下方向）に沿って貫通している。第２保持部１３４は、Ｙ方向において第１保持部１３２の群を挟むようにして設けられている。第３保持部１３６は、長壁部１２６のＸ方向外側の面に形成されている。第３保持部１３６は、長壁部１２６の−Ｚ側端近傍に位置しており、また、短壁部１２８との境界部分に近い位置に位置している。図４及び図１０を参照すると、受容部１２４の短壁部１２８に近い位置には、受容部１２４の底部と長壁部１２６とに連続するようにして形成された貫通孔１３８が設けられている。
【００２７】
図１１を参照すると、レセプタクルコンタクト１５０は、接点部１５２と、被保持部１５４と、被固定部１５６とを有している。図１１に示されたレセプタクルコンタクト１５０は、図５において−Ｘ側（手前側）に位置しているものである。図５において＋Ｘ側（奥側）に位置しているレセプタクルコンタクト１５０も同様の構成を有している。図３、図５及び図６を参照すると、接点部１５２は、相手側コンタクト（後述）と接触する部位であり、レセプタクルハウジング１１０の底面側から挿入され、収容部１３０内に部分的に収容される。接点部１５２は弾性支持されており、主としてＸ方向に変位可能となっている。図３及び図５を参照すると、被保持部１５４は、レセプタクルハウジング１１０の底面側から第１保持部１３２に対して圧入保持されている。図３及び図５〜図８を参照すると、被固定部１５６は、基板３００に搭載固定される部位であり、被保持部１５４の−Ｚ側端部（下端）から長壁部１２６を超えてＸ方向外側に突出している。
【００２８】
図５、図６及び図９から理解されるように、本実施の形態におけるレセプタクルコンタクト１５０の多くは、基板３００に形成された導電パターン３１０に接続されるものであるが、レセプタクルコンタクト１５０にはグランドパターン３２０に接続されるグランドコンタクト（特定のコンタクト）１５０ｇも含まれている。本実施の形態において、グランドコンタクト１５０ｇは、一列に並んだレセプタクルコンタクト１５０の群毎に３個設けられている。即ち、計６個のグランドコンタクト１５０ｇがレセプタクルハウジング１１０には保持されている。これらグランドコンタクト１５０ｇは、他のレセプタクルコンタクト１５０と同様に、接点部１５２ｇと被固定部１５６ｇとを有している。但し、グランドコンタクト１５０ｇの被固定部１５６ｇは、他のレセプタクルコンタクト１５０の被固定部１５６と比較してＸ方向における長さが短い。
【００２９】
図１２乃至図１４を参照すると、被モニタ部材１６０は、夫々、一枚の板状の母材を打ち抜いて形成された中間体を折り曲げ形成してなるものであり、Ｙ方向に延びる細長い板状の主部１６２と、主部１６２のＹ方向両端に形成された被保持部１６４と、主部１６２から−Ｚ方向（下方）に向かって突出した突出部１６６とを有している。なお、図１２乃至図１４に示される被モニタ部材１６０は、図５において−Ｘ側（手前側）に位置しているものである。図５において＋Ｘ側（奥側）に位置している被モニタ部材１６０も同様の構成を有している。
【００３０】
図６に示されるように、被保持部１６４は、第２保持部１３４に圧入保持されており、それによって、主部１６２は、図５及び図７に示されるように、レセプタクルハウジング１１０の長壁部１２６の外側面を覆うように配されている。即ち、図３及び図６から理解されるように、主部１６２は、Ｚ方向（上下方向）と直交するＹＸ平面内において、レセプタクルコンタクト１５０の接点部１５２の外側に位置している。このように主部１６２がレセプタクルコンタクト１５０の接点部１５２の外側に位置しているとシールド機能を発揮することができる。シールド機能を発揮するためには、主部１６２がレセプタクルコンタクト１５０の接点部１５２の外側に位置していればよく、レセプタクルハウジング１１０の長壁部１２６の外側面上に設けられていなくともよい。
【００３１】
図７、図８及び図１２などに示されているように、突出部１６６は、鉤状の形状を有している。図８に示されるように、突出部１６６の先端には基板３００（詳しくは、基板３００上に形成されたグランドパターン３２０）に突き当てられる突き当て部１６８が形成されており、突き当て部１６８からＺ方向（上下方向）において所定距離だけ離れた位置にはマーカー部１７０が形成されている。即ち、突き当て部１６８は、突出部１６６の−Ｚ側端部（下端）に位置しており、マーカー部１７０は、突出部１６６の一部として設けられている。また、図１４から理解されるように、突き当て部１６８は、被モニタ部材１６０の母材を打ち抜いて形成された中間体のエッジにて構成されている。従って、本実施の形態においては、突き当て部１６８からマーカー部１７０までの距離は、Ｘ方向に沿って見た場合（主部１６２に直交する方向から見た場合）に、レセプタクルコンタクト１５０などのように基板３００へ当接する部分が曲げ形成されたものと比較して変動しにくくなっている。また、本実施の形態によるマーカー部１７０は、Ｙ方向に延びる面を有している。従って、基板３００へ適切に搭載されているか否かをより認識し易くなっている。
【００３２】
図８に示されるように、基板３００とマーカー部１７０との位置関係を画像認識検査で調べる場合、基板３００の近傍のみを拡大して行うことができる。従って、基板３００を基準とした場合のレセプタクルハウジング１１０の高さを直接調べる場合と比較して検査精度を高めることができる。なお、この画像認識検査を可能とするため、少なくともマーカー部１７０は、Ｘ方向（水平方向）に沿ってレセプタクル１００を見た場合に視認可能であることが必要とされる。
【００３３】
特に、本実施の形態においては、突き当て部１６８及びマーカー部１７０は金属からなる被モニタ部材１６０の一部で構成されている。即ち、絶縁樹脂等からなるレセプタクルハウジング１１０と比べて、被モニタ部材１６０は熱膨張率の低い材料から構成されている。従って、画像認識の精度を更に高めることができる。被モニタ部材１６０を金属以外の材料で構成することとしてもよいが、前述の画像認識の精度を考慮すると、レセプタクルハウジング１１０よりも熱膨張率の低いことが好ましい。
【００３４】
なお、マーカー部１７０は、図８に示されるような形状に限定されるわけではなく、突き当て部１６８とのＺ方向（上下方向）における距離が一定である（所定距離だけ離れている）という条件を満たす限り、どのような形状であってもよい。例えば、図９に示されるように、主部１６２に設けた孔の一部（図示された例では略四角状の孔の底辺）をマーカー部１７２とすることとしてもよい。
【００３５】
図５乃至図７から理解されるように、本実施の形態によるレセプタクル１００において、突き当て部１６８と被固定部１５６ｇとは、一つの長壁部１２６毎に、３セット設けられている。各セットの突き当て部１６８と被固定部１５６ｇとは、図８に例示されているように、同一のグランドパターン３２０に接続されている。これにより、被モニタ部材１６０は、電気的にはグランドに落とされている。従って、被モニタ部材１６０は、グランドパターン３２０に必要とされる領域（ひいてはレセプタクル１００の基板３００上の占有面積）を増やすことなく、良好なシールド機能を発揮することができる。
【００３６】
具体的には、図８に示されるように、本実施の形態による突き当て部１６８は、Ｘ方向（水平方向）に沿って見た場合に、対応するグランドコンタクト１５０ｇの被固定部１５６ｇと重なるように配置されている。特に、本実施の形態によるグランドコンタクト１５０ｇの被固定部１５６ｇは、突き当て部１６８よりも奥側（即ち、Ｘ方向内側）に位置している。上述したように、被固定部１５６ｇは他のレセプタクルコンタクト１５０の被固定部１５６と比較してＸ方向の長さが短いことから、被固定部１５６ｇと突き当て部１６８とが互いに干渉することなく前後に位置することができる。
【００３７】
更に、図８から理解されるように、本実施の形態による突き当て部１６８は、Ｘ方向（水平方向）に沿って見た場合に、対応するグランドコンタクト１５０ｇの被固定部１５６ｇよりも幅狭である（Ｙ方向のサイズが小さい）。換言すると、グランドコンタクト１５０ｇの被固定部１５６ｇは、対応する突き当て部１６８よりも幅広である（Ｙ方向のサイズが大きい）。そのため、Ｘ方向に沿って見た場合に、グランドコンタクト１５０ｇの被固定部１５６ｇが対応する突き当て部１６８よりも奥側にあったとしても、被固定部１５６ｇを画像認識検査で調べることができる。
【００３８】
図１５を参照すると、ロック部材１８０は、Ｚ方向に沿って見た場合にコの字状の形状を有している内側部１８２と、Ｘ方向及びＹ方向において内側部１８２の外側に位置する外側部１８４とを有している。内側部１８２の端部は、−Ｚ方向に延びており、その途中にはＸ方向内側に突出したロック部１８６が形成されており、更に−Ｚ側端部には接続部１８８が設けられている。外側部１８４の端部も−Ｚ側に延びており、その先端には付加的突き当て部１９０が形成されている。また、外側部１８４の端部のＺ方向の途中にはＹ方向に突出した被保持部１９２が形成されている。なお、図１５に示されたロック部材１８０は、図５において＋Ｙ側（右下側）に位置しているものである。図５において−Ｙ側（左上側）に位置しているロック部材１８０も同様の構成を有している。
【００３９】
かかるロック部材１８０は、図４乃至図７に示されるように、ＸＹ平面内において短壁部１２８の外側を覆うようにレセプタクルハウジング１１０に取り付けられている。また、ロック部材１８０は、長壁部１２６上においても被モニタ部材１６０の主部１６２近傍まで延びている。即ち、図５及び図６から理解されるように、本実施の形態による被モニタ部材１６０の主部１６２とロック部材１８０とは、ＸＹ平面内においてレセプタクルコンタクト１５０の接点部１５２を囲んでいる。本実施の形態においては、被モニタ部材１６０とロック部材１８０とは直接的には接続されていないが、ロック部材１８０の付加的突き当て部１９０は基板３００に形成されたグランド部（図示せず）に当接されるため、ロック部材１８０は電気的にはグランドに落とされる。従って、強固なシールド機能が得られている。但し、本発明はこれに限定されるわけではなく、被モニタ部材１６０とロック部材１８０とを直接的に接続することとしてもよい。
【００４０】
図５、図１０及び図１５から理解されるように、被保持部１９２を第３保持部１３６に圧入保持させることにより、ロック部材１８０がレセプタクルハウジング１１０に取り付けられている。図４乃至図６に示されるように、内側部１８２の端部は貫通孔１３８内に位置しており、ロック部１８６及び接続部１８８は受容部１２４内に位置している。
【００４１】
図１６及び図１７を参照すると、プラグ２００は、絶縁体からなるプラグハウジング（相手側ハウジング）２１０と、金属製のプラグコンタクト（相手側コンタクト）２５０と、４つの金属製のホールドダウン２６０とを備えている。
【００４２】
図１８に示されるように、プラグハウジング２１０は、Ｘ方向及びＹ方向の中央に凹部２１２と、凹部２１２をＸ方向において挟むようにして設けられた長壁部２１６と、凹部２１２をＹ方向において挟むようにして設けられた端部ブロック２１８とを有している。長壁部２１６の夫々は、Ｙ方向に延びる長細い板状の形状を有している。端部ブロック２１８の夫々は、長壁部２１６の端部同士を接続している。
【００４３】
図１９に示されるように、プラグコンタクト２５０は、レセプタクルコンタクト１５０の接点部１５２と接触する接点部２５２と、プラグ２００が搭載される相手側基板（図示せず）に接続固定される被固定部２５６とを有している。このプラグコンタクト２５０は、レセプタクルコンタクト１５０と同数設けられており、図１６及び図１７に示されるように、被固定部２５６がＸ方向外側に向くように、長壁部２１６に保持されている。図１６に示されるように、接点部２５２は、長壁部２１６のＸ方向内側面上に露出している。
【００４４】
図２０及び図２１に示されるように、ホールドダウン２６０は、Ｌ字状の形状を有する２つの埋設部２６２と、−Ｚ側に位置するＸ方向端部からなる接続部２６４と、＋Ｚ側において＋Ｘ側に延びる被固定部２６６とを有している。なお、図２０及び図２１に示されるホールドダウン２６０は、図１６において＋Ｘ側に（手前側）に位置しているものである。図１６において−Ｘ側（奥側）に位置している２つのホールドダウン２６０も同様の構成を有している。
【００４５】
図１６及び図１８から理解されるように、ホールドダウン２６０は、端部ブロック２１８に２つずつ保持されている。具体的には、各ホールドダウン２６０は、モールドイン法により、プラグハウジング２１０の成型時にプラグハウジング２１０に組み込まれている。特に、埋設部２６２はプラグハウジング２１０に埋設されてしまっており、プラグ２００の外側からは視認できない。このように埋設部２６２がプラグハウジング２１０内に埋設されていることから、ホールドダウン２６０は、プラグハウジング２１０に強固に保持されている。なお、ホールドダウン２６０がプラグハウジング２１０に保持された状態において、接続部２６４は、端部ブロック２１８の−Ｚ側且つＸ方向外側の角部上に露出しており、被固定部２６６は端部ブロック２１８の＋Ｚ側端部からＸ方向外側に突出している。
【００４６】
このような構成を備えるレセプタクル１００とプラグ２００とを嵌合すると、レセプタクル１００の島状部１２２がプラグ２００の凹部２１２内に収容され、且つ、プラグ２００の長壁部２１６や端部ブロック２１８がレセプタクル１００の受容部１２４に受容される。この際、図３から予想されるように、プラグコンタクト２５０の接点部２５２はレセプタクルコンタクト１５０の接点部１５２をＸ方向内側に押圧し、その反力によりプラグコンタクト２５０の接点部２５２とレセプタクルコンタクト１５０の接点部１５２との接続が維持される。また、この嵌合接続の過程において、図４から予想されるように、ホールドダウン２６０の接続部２６４はロック部材１８０の内側部１８２の端部を外側に押圧するがロック部１８６を越えると内側部１８２は元の状態を復元しようとする。この復元の途中、接続部１８８と接続部２６４とが接続することとなり、両者の電気的接続（グランド）が強固に確立される。
【００４７】
上述した実施の形態においては、被モニタ部材１６０はレセプタクル１００のみに設けられていたが、本発明はこれに制限されない。例えば、被モニタ部材１６０と同様の部材をプラグ２００に設け、プラグ２００側でも基板への搭載精度の検査を行うこととしてもよい。
【産業上の利用可能性】
【００４８】
本発明は、上述した実施の形態の基板対基板コネクタ組立体に含まれるコネクタに加え、低背化の要求のある他の基板搭載コネクタに適用可能である。
【符号の説明】
【００４９】
１００        レセプタクル（コネクタ）
１１０        レセプタクルハウジング（ハウジング）
１２２        島状部
１２４        受容部
１２６        長壁部
１２８        短壁部
１３０        収容部
１３２        第１保持部
１３４        第２保持部
１３６        第３保持部
１３８        貫通孔
１５０        レセプタクルコンタクト（コンタクト）
１５０ｇ        グランドコンタクト（特定のコンタクト）
１５２，１５２ｇ        接点部
１５４        被保持部
１５６，１５６ｇ        被固定部
１６０        被モニタ部材
１６２        主部
１６４        被保持部
１６６        突出部
１６８        突き当て部
１７０        マーカー部
１７２        マーカー部
１８０        ロック部材
１８２        内側部
１８４        外側部
１８６        ロック部
１８８        接続部
１９０        付加的突き当て部
１９２        被保持部
２００        プラグ（相手側コネクタ）
２１０        プラグハウジング（相手側ハウジング）
２１２        凹部
２１６        長壁部
２１８        端部ブロック
２５０        プラグコンタクト（相手側コンタクト）
２５２        接点部
２５６        被固定部
２６０        ホールドダウン
２６２        埋設部
２６４        接続部
２６６        被固定部
３００        基板
３１０        導電パターン
３２０        グランドパターン
【図１】
0005890117.tif 000002
【図２】
0005890117.tif 000003
【図３】
0005890117.tif 000004
【図４】
0005890117.tif 000005
【図５】
0005890117.tif 000006
【図６】
0005890117.tif 000007
【図７】
0005890117.tif 000008
【図８】
0005890117.tif 000009
【図９】
0005890117.tif 000010
【図１０】
0005890117.tif 000011
【図１１】
0005890117.tif 000012
【図１２】
0005890117.tif 000013
【図１３】
0005890117.tif 000014
【図１４】
0005890117.tif 000015
【図１５】
0005890117.tif 000016
【図１６】
0005890117.tif 000017
【図１７】
0005890117.tif 000018
【図１８】
0005890117.tif 000019
【図１９】
0005890117.tif 000020
【図２０】
0005890117.tif 000021
【図２１】
0005890117.tif 000022